(57)【特許請求の範囲】
【請求項１】
複数の物品を収納し６面の全てを備えて直方体形状に形成してある内箱と、該内箱を収納する直方体形状の外箱とを含んで構成された化粧箱であって、
前記外箱は、上面、底面および側面を有し、前記上面の中央部に前記内箱１つが嵌合される内箱嵌合部が設けてあり、
前記内箱嵌合部は、前記内箱の形状に応じて前記上面に形成される環状の開口端縁と、該開口端縁から前記上面の一部を下方へ折り曲げて形成された周壁と、前記底面とを含んで形成されて上方に開口している凹状空間を含み、
前記凹部空間に前記内箱が嵌合したときに前記上面と前記内箱の表面とが平坦な面を形成するように、前記側面及び前記周壁の高さが前記内箱の高さに応じて設定されており、
更に、前記凹部空間に嵌合した前記内箱を取り出すための窪み部が、前記開口端縁の一部を切欠いて設けてあり、
前記外箱は、前記上面の外形端縁に設けたヒンジ部を介して回動され、前記上面を露出可能に覆う、前記上面と同じ矩形状で平板状に形成してある蓋部を備え、
更に、前記外箱および内箱のそれぞれは、一枚の紙製または樹脂製のシート状ブランクを折り曲げ、組み上げることにより形成されている、ことを特徴とする化粧箱。
【請求項２】
前記周壁の下端に舌片部が付加されており、該舌片部は前記底面の中央部に向けて折り曲げられて前記底面に面で接する姿勢で配置される、ことを特徴とする請求項１に記載の化粧箱。
【請求項３】
前記窪み部は、前記上面から該上面と前記開口端縁とを共有する周壁にかけて、指幅より広く前記開口端縁の長さより狭い間隔で、２本の切込み線を入れ、その切込み間の帯部分を前記開口端縁と反対の方向へ反転させて形成した凹部である、ことを特徴とする請求項１に記載の化粧箱。
【請求項４】
前記窪み部は、前記内箱を間にして一対で設けてある、ことを特徴とする請求項３に記載の化粧箱。
【請求項５】
前記内箱には、主物品と該主物品と密接な関係にある副物品とが収納され、前記主物品と前記副物品とが、前記内箱表面に表示した図画にて視認可能としてある、ことを特徴とする請求項１に記載の化粧箱。
【請求項６】
前記主物品は喫煙物品であり、前記副物品は該喫煙物品と密接な関係にある物品である、ことを特徴とする請求項５に記載の化粧箱。
【請求項７】
請求項１に記載の化粧箱に用いるブランクであり、外箱用ブランクと内箱用ブランクとがセットで使用されるものであって、
前記外箱用ブランクは、前記上面を形成するためのトップパネルを含み、該トップパネルの中央部に前記内箱１つが嵌合される内箱嵌合予定領域が設けてあると共に、
前記内箱嵌合予定領域には、環状の開口端縁と、該開口端縁から前記トップパネルの一部を折り曲げて形成される周壁のための周壁予定部と、更に前記開口端縁の一部に掛かるように切込みを設けて前記内箱を取り出すための窪み部を形成するための窪み予定部とが、設けてある、ことを特徴とする前記化粧箱のためのブランク。
【発明の詳細な説明】
【技術分野】
【０００１】
本発明は、例えば喫煙物品と、これと密接な関係な専用ケース、灰皿、ライタ、パイプ、フィルタなどの関連物品を収納するに、好適な化粧箱に関する。
【背景技術】
【０００２】
色々な物品（製品）を収納する化粧箱については、搬送中における物品の保護という観点と共に、製造コストや廃棄処理などを考慮して、従来から種々の提案がなされている。
例えば、特許文献１は、一枚の型紙（ブランク）を折り曲げ組み立てて製造される化粧箱を開示している。この化粧箱は弾性的に折り曲げて形成した側板部を備えている緩衝用空間を形成している。この緩衝用空間内に物品、或いは、物品を収納して補助箱を収納して位置規制した状態で保管するものである。特許文献１の技術によると、これにより、物品の保護を図りつつ、製造コストを低減した化粧箱を提供できるとされている。
【先行技術文献】
【特許文献】
【０００３】
【特許文献１】特開平７−２４２２３２号公報
【発明の概要】
【発明が解決しようとする課題】
【０００４】
しかしながら、特許文献１で開示する化粧箱では、収納する主物品について付属する他の物品がある場合、その付属品を収納するための収納空間（凹部）を個別に設けている。すなわち、特許文献１による例示では、主物品の携帯電話用の収納空間と、付属の乾電池用の収納空間とが分離した箇所に設けてある。このように、複数の収納空間を設けると箱自体の強度（剛性）の劣化、また外力が加わる方向によって箱の強度が異なる（耐強度に異方性がある）などの問題が懸念される。
そして、上記のように物品受け部とする収納空間（凹部）が増加すると、箱を製造する際の組立工程が煩雑化するという問題がある。更に、美観などを考慮すると種類が異なる複数の物品を同時に収納した時に、厚みが異なる場合には、薄い方の物品の下に下敷き（底上げ用の補助部材）を配置して、それらの表面が同じ高さとなるように美観調整される場合もある。これでは、適正形態の化粧箱に整えるまでに手間と時間を要するということになる。
【０００５】
本発明の目的は、複数の物品を収納しても安定した強度を備えて物品を確実に保護することができ、構造が簡単で組立も容易に行え、しかも美観の面でも優れた化粧箱を提供することである。
【課題を解決するための手段】
【０００６】
上記の目的は、複数の物品を収納し６面の全てを備えて直方体形状に形成してある内箱と、該内箱を収納する直方体形状の外箱とを含んで構成された化粧箱であって、
前記外箱は、上面、底面および側面を有し、前記上面の中央部に前記内箱１つが嵌合される内箱嵌合部が設けてあり、
前記内箱嵌合部は、前記内箱の形状に応じて前記上面に形成される環状の開口端縁と、該開口端縁から前記上面の一部を下方へ折り曲げて形成された周壁と、前記底面とを含んで形成されて上方に開口している凹状空間を含み、
前記凹部空間に前記内箱が嵌合したときに前記上面と前記内箱の表面とが平坦な面を形成するように、前記側面及び前記周壁の高さが前記内箱の高さに応じて設定されており、
更に、前記凹部空間に嵌合した前記内箱を取り出すための窪み部が、前記開口端縁の一部を切欠いて設けてあり、
前記外箱は、前記上面の外形端縁に設けたヒンジ部を介して回動され、前記上面を露出可能に覆う、前記上面と同じ矩形状で平板状に形成してある蓋部を備え、
更に、前記外箱および内箱のそれぞれは、一枚の紙製または樹脂製のシート状ブランクを折り曲げ、組み上げることにより形成されている、ことを特徴とする化粧箱により達成することができる（請求項１）。
【０００７】
また、前記周壁の下端に舌片部が付加されており、該舌片部は前記底面の中央部に向けて折り曲げられて前記底面に面で接する姿勢で配置される構造が好ましい（請求項２）。
【０００８】
また、前記窪み部は、前記上面から該上面と前記開口端縁とを共有する周壁にかけて、指幅より広く前記開口端縁の長さより狭い間隔で、２本の切込み線を入れ、その切込み間の帯部分を前記開口端縁と反対の方向へ反転させて形成した凹部とするのが好ましい（請求項３）。
そして、前記窪み部は、前記内箱を間にして一対で設けてあるものがより好ましい（請求項４）。
【００１０】
また、前記内箱には、主物品と該主物品と密接な関係にある副物品とが収納され、前記主物品と前記副物品とが、前記内箱表面に表示した図画にて視認可能としてあるものが好ましい（請求項５）。
前記主物品は喫煙物品であり、前記副物品は該喫煙物品と密接な関係にある物品とすることができる（請求項６）このような、副物品としては、例えば専用ケース、灰皿、ライタ、パイプ、フィルタなどとすることができる。
【００１１】
そして、上記記載の化粧箱に用いるブランクであり、外箱用ブランクと内箱用ブランクとがセットで使用されるものであって、
前記外箱用ブランクは、前記上面を形成するためのトップパネルを含み、該トップパネルの中央部に前記内箱１つが嵌合される内箱嵌合予定領域が設けてあると共に、
前記内箱嵌合予定領域には、環状の開口端縁と、該開口端縁から前記トップパネルの一部を折り曲げて形成される周壁のための周壁予定部と、更に前記開口端縁の一部に掛かるように切込みを設けて前記内箱を取り出すための窪み部を形成するための窪み予定部とが、設けてある、ことを特徴とする前記化粧箱のためのブランクによっても、上記目的を達成できる（請求項７）。
【発明の効果】
【００１２】
本発明による化粧箱では、複数の物品を収納した内箱を、更に外箱に収納した２重箱の状態とするので収納した物品を確実に保護できる。外箱の上面に１箇所だけ設けた内箱嵌合部に内箱をちょうど嵌合させるという構造とされているので、従来化粧箱で複数の商品に応じて個別に複数の収納部を設ける場合と比較して、構造が単純で組立等が容易であるので製造コストも抑制できる。
そして、収納された内箱の表面と、これを収納した外箱の上面とが平坦な面を形成しているので美観に優れて、その平面を物品の表示など表示媒体として有効活用できる。また、嵌合状態にある内箱を取り出すための窪み部が設けてあるので、外箱から内箱を簡単に取り出すことができる。
【図面の簡単な説明】
【００１３】
【図１】本発明に係る一例の化粧箱で、内箱を外箱に収納する前の状態示した図である。
【図２】本発明に係る一例の化粧箱で、内箱を外箱に収納した後の状態示した図である。
【図３】図１でのＡ−Ａ矢視による外箱の断面図である。
【図４】窪み部の周部を拡大して示した図で、（ａ）は斜視図、（ｂ）は（ａ）におけるＢ−Ｂ矢視図である。
【図５】内箱用のシート状ブランクの一例を示した図である。
【図６】外箱用のシート状ブランクの一例を示した図である。
【発明を実施するための形態】
【００１４】
以下、図面を参照して、本発明の好適な実施形態を説明する。
図１、図２は、本発明に係る一例の化粧箱ＦＣについて示している。化粧箱ＦＣは、内箱１と、これを内部に収納するように形成してある外箱１０とにより構成されている。図１は内箱１を外箱１０に収納する前の状態、図２は内箱１を外箱１０に収納した後の状態を示している。なお、ここでの説明では、図１で示すような３軸Ｘ、Ｙ、Ｚを仮想的に設定し、Ｘ軸方向を左右方向、Ｙ軸方向を前後方向、そしてＺ軸方向について上下方向として、発明の理解を容易とするために用いる。
【００１５】
上記内箱１には、複数の物品が収納されている。ここでの複数の物品とは、例えば主体となる主物品およびこの主物品との関係が密接であるため同時に梱包される関係にある副物品とするのが好適である。また、ここでの主物品および副物品はそれぞれが独立した物品で、例えばそれぞれが製品として取引可能で、既にフィルム包装等が付されているものなどを対象としてもよい。
本発明の化粧箱では、上記のような物品（製品）複数をあえて１つの内箱１にまとめて収納した形態としている。その理由は、以下の説明により明らかとなる。例えば、主物品が喫煙物品である場合に、副物品はこの喫煙物品に用いる専用のケースとするような場合である。
【００１６】
上記内箱１は、予定した複数の物品（例えば、喫煙物品と専用のケース）を収納でき、かつ外箱１０内に収納可能であれば、用いる素材や形状に特に限定はない。例えば、厚紙で製造したブランクを折り曲げ、組み上げるのが簡単である直方体形状などとするのが好適である。図１で示しているのは、一般的な直方体形状（例示は低背の直方体形状）の内箱１である。内箱１は内部が収納空間となっており、蓋部４を備えている。蓋部４は、ヒンジ２を介して回動し、先端側には箱本体側に挿入される差込み部３が設けてある。
【００１７】
そして、外箱１０についても、用いる素材や形状に限定はなく、また内箱１と同じ形状とする必要はない。ただし、外箱１０も厚紙で製造したブランクを折り曲げ、組み上げが可能な直方体形状等を基本型とするのが好適であり、複数の化粧箱を整列させて保管する際の取扱が良い。さらに内箱、外箱とも直方体形状とすれば製造コストを抑制できる。
図１で例示している直方体の外箱１０は、上面１１、底面１２および４つの側面１３を有している。そして、その上面１１の一部を切り欠き、中央部に環状の開口端縁を設けて内箱１がちょうど１個嵌合する内箱嵌合部ＳＥが設けてある。
【００１８】
内箱嵌合部ＳＥが設けられる中央部とは、上面１１の外形端縁（外周縁）１１ａに掛からないように、上面１１の中心寄りに設けた窓状となる領域である。この領域は、外周に一定の幅を持って上面が残るようにして設定するのが好ましい。そして、特に、内箱嵌合部ＳＥの外周に残す上面の残し部分は、外箱１０の構造的な強度を平均化するため、対称的に設定するのが望ましい。例えば図１では上面１の左右が残し幅Ｌａとされ、前後では上面１の残し幅Ｌｂとしてある。あるいは、上面の左右および前後で、その残し幅を同一としてもよい。
【００１９】
そして、内箱嵌合部ＳＥは、内箱１の形状（例示は、長方形）に応じて上面１１に形成される環状の開口端縁１１Ｃｒと、この開口端縁から上面１１の一部を下方へ折り曲げて形成された周壁１１ｗａと、底面１２とを含んでおり、上方に開口している凹状空間ＳＰとして形成されている。
この凹部空間ＳＰは、上記内箱１がちょうど1個嵌合するように設定してある。そして、嵌合したときに、図２に示すように、外箱の上面１１と内箱の表面１ａとが全体として平坦な面となるように形成してある。これは、外箱１０の側面１３及び周壁１１ｗａの高さが内箱１の高さ１ｈに応じて、概ねで同じ高さに設定することで実現される。
【００２０】
ここで、更に、図３を参照して、凹状空間ＳＰ内の様子について説明する。図３は、図１におけるＡ−Ａ矢視による外箱１０の断面図である。
内箱嵌合部ＳＥは、上面１１の中央部を切り欠いて形成されるものであるが、実際に切り欠いて除去される上面１１の部分は、内箱１の形状（長方形）よりも小さい。その理由は、開口端縁１１Ｃｒから上面１１の一部を下方へ折り曲げて周壁１１Ｗａとしているからである。周壁１１Ｗａとされなかった上面１１の一部だけが切欠かれて除去されている。そして、周壁１１Ｗａは、長方形となる開口端縁１１Ｃｒの各辺から下方に向けて（底面１２に向けて）立ち下げられた状態となっている。
図３は、左周壁１１Ｗａ（Ｌ）と右周壁１１Ｗａ（Ｒ）の断面、および後側の周壁（図１で蓋部１６側）１１Ｗａ（Ｕ）を示している。
図３で示された通り、各周壁１１Ｗａの形状は、基部（開口端縁側）から先端（底面１２側）に向けて徐々に幅狭くなっている。
【００２１】
このような構造を備えていると、内箱１が凹状空間ＳＰ内に嵌合したとき内箱の４面の外周それぞれに、外箱１０の周壁１１Ｗａが近接配置された構造となる。即ち、内箱１の側壁と外箱１０の周壁との二重壁の構造となる。これにより、化粧箱へ加わる力から主物品及び副物品を保護できる強化構造が実現される。
【００２２】
より好ましい凹状空間ＳＰの周壁の構造として、各周壁１１Ｗａの下端には舌片部１１Ｔｐが設けてある。この舌片部１１Ｔｐは、周壁の立ち下げる部分Ｈｔの高さ（長さ）よりも、余分に長く設定した周壁の先端部Ａｔを凹状空間ＳＰの底面１２の中央部側へ向けて折り曲げた付加部である。この舌片部１１Ｔｐは凹状空間ＳＰの底面１２に面で接するような姿勢で配置されている。
周壁１１Ｗａが、立ち下げられた部分Ｈｔだけを有する場合、周壁の下端側は凹状空間ＳＰの底面１２に対して容易に可動し得る構造であるので、仮に上下方向へ圧縮する力が上面１１に加わった時には、周壁下端部が凹状空間ＳＰの底面１２に対して摺動する可能性がある。このような状態となっては、周壁１１Ｗａを設けても圧縮する力に対する支えの役割を容易に失うので、内箱１を保護する機能を十分に果たさないことになる。
【００２３】
上記に対して、舌片部１１Ｔｐが設けられた周壁１１Ｗａにおいては、周壁１１Ｗａの下端側は、この舌片部１１Ｔｐを介して凹状空間ＳＰの底面１２に対して安定な位置に保持される。仮に、上下方向へ圧縮する力が上面１１に加わった時には、舌片部１１Ｔｐが凹状空間ＳＰの底面１２に対しより強く押し付けられるので、周壁１１Ｗａの下端側が凹状空間ＳＰの底面１２に対して可動する可能性は低くなる。よって周壁１１Ｗａは、圧縮する力に対する支えの役割を失う可能性は低く、内箱１を保護する機能を十分に果たすことができる。
【００２４】
さらに、舌片部１１Ｔｐの上側には内箱１が載置される。仮に、上下方向へ圧縮する力が内箱へ加わった時には、内箱１の側壁を介して伝えられた上下方向へ圧縮する力が舌片部１１Ｔｐの下面を凹状空間ＳＰの底面１２に対してより強く押し付けるので、周壁１１Ｗａの下端側が凹状空間ＳＰの底面１２に対して可動することはない。よって、周壁１１Ｗａは、圧縮する力に対する支えの役割を失うことはなく、内箱の側壁と共に主物品ならびに副物品を保護する機能を果たすことができる。
即ち、舌片部１１Ｔｐが設けられている周壁１１Ｗａと内箱の側壁とは、圧縮する力に対して共に抗し、内箱１に収容された主物品および副物品を保護する機能を発揮し得る。
【００２５】
上記舌片部１１Ｔｐが設けられている周壁１１Ｗａと内箱の側壁とが、内箱１に加わる力に対して共に抗する作用は、前後・左右方向に加わる可能性がある外力に対しても発揮される。仮に、内箱１を変形させる左右方向への力が加わったとき、内箱１の左右の側壁１０と左右の周壁１１Ｗａ（Ｌ、Ｒ）は左右に倒れ、力の一部は上面１１と凹状空間ＳＰの底面１２を上下方向へ圧縮する力へと分散される。上下方向へ圧縮する力は、先に述べた通り舌片部１１Ｔｐを有する周壁１１Ｗａ(Ｕ）を凹状空間ＳＰの底面１２に対して固定するので、舌片部１１Ｔｐを有する周壁１１Ｗａ(Ｕ）は左右方向への外力に対する支持壁としての機能を果たすことができる。なお、ここでは図示していないが、上記周壁１１Ｗａ(Ｕ）と対向した位置に配置されている前側の周壁も、ここで説明した後側の周壁１１Ｗａ(Ｕ）と同様に機能するものである。
舌片部１１Ｔｐを有さない周壁は、周壁の下端側は凹状空間ＳＰの底面に対して容易に可動し得るので、左右方向への外力に対する支持壁としての機能を失う可能性がある。
すなわち、舌片部１１Ｔｐが設けられている周壁１１Ｗａと内箱の側壁とは、前後・左右方向の内箱１を変形させるような外力に対し、互いに協働して抵抗して、内箱１に収容された主物品及び副物品を保護する。
【００２６】
以上述べた通り、舌片部１１Ｔｐが設けられている周壁１１Ｗａと内箱の側壁とは、内箱１に加わる上下・前後・左右方向へ加わる外力に対して、互いに協働して支持する機能を果たすので、各々の部材としては相対的に薄く、またはそれ程に強度が高くはない材料（段ボールや厚いボール紙などでなく、薄目のボール紙など）により形成しても、実用上主物品や副物品を保護できる化粧箱とすることができる。
【００２７】
また、外箱１０には、上面１１の端縁に設けたヒンジ部１５を介して回動され、前記上面を露出可能に覆う蓋部１６が設けてある。よって、蓋部１６で上面１１および内箱１を覆って、これらを保護できる。
【００２８】
さらに、外箱１０には、内箱嵌合部ＳＥとなる凹状空間ＳＰ内に嵌合されている内箱１の取り出しを容易とするための構造が設けてある。これについて説明する。
図１、２を再度参照すると、外箱１０には、開口端縁１１Ｃｒに掛かるようにして内箱１を取り出すため、ヒトの指が入る程度の幅を持って窪み部２０が設けてある。
図１、２で例示しているのは、内箱１を間にして左右に一対で設けてある。このような窪み部２０を設けておけば、上面１１と表面１ａが一致するように嵌合する内箱１でも、簡単に取り出すことができる。
【００２９】
図４は、窪み部２０の周部を拡大して示した図で、図４（ａ）は斜視図、図４（ｂ）は（ａ）におけるＢ−Ｂ矢視図である。窪み部２０は、開口端縁１１Ｃｒの一部を切り欠いて、指が入る程度の空間を形成すればよい。よって、この部分を除去して形成してもよいが、ここでは、図４で示すように、上面１１に指の幅を想定した間隔２０Ｗｔをもってその左右に平行で開口端縁（ライン）１１Ｃｒに垂直な切込み線２１ａ、２１ｂを入れ、その間の帯部分２２（開口端縁１１Ｃｒを中央にしてほぼ直角に曲がった部分）を押し込んで反対側へ反転させることにより形成した凹部としてある。なお、ここでの窪み部２０は、１つの例示であり上面１１からこの上面１１と開口端縁１１Ｃｒとを共有する周壁にかけて、指幅より広く前記開口端縁の長さより狭い間隔で、２本の切込み線を入れ、その切込み間の帯部分を開口端縁と反対の方向へ反転させて形成した凹部であれば、その形態は適宜に変更してよい。
このような窪み部２０を形成すると、一体である下側の周壁１１Ｗａに図示のように中央部に向いた弾性力Ｆが付与される。これにより周壁１１Ｗａが外側に倒れる姿勢となるのを抑制して、内箱１を挟持する力にもなるので、より好ましい構造となる。
【００３０】
そして、図５は前述した内箱１用のシート状であるブランクの一例であり、図６は前述した外箱用のシート状であるブランクの一例である。これらのブランクは、紙製または樹脂製とすることができる。そして、外箱１０および内箱１は共に、このような単純な一枚のブランクを折り曲げ、組み上げることによりに容易に形成できる。
なお、図５、図６で点線が折り曲げ線、太線が切断線であり、図６中のハッチングを付したＤＥ部分は、前述した内箱嵌合部ＳＥで周壁１１Ｗａとしない不要な打抜き（除去）部分である。また、図５、図６中では、図１、図２で図示した部位との対応が確認し易いように、図１、図２における符号をカッコ内で示してある。
【００３１】
図５で示すブランク１００により、図１、２で例示した低背な直方体形状の内箱が得られる。
内箱用のブランク１００は、トップパネル１０１の両側に折り曲げ線を介し左右にサイドパネル１０２が連なり、この内の一方側のサイドパネル１０２にはボトムパネル１０３、更にこれに連なるサイドインパネル１０４を有する。これらを折り曲げ線にて曲げて、サイドインパネル１０４を反対側のサイドパネル１０２の内面に貼付けて、組み上げる。これにより、上下に開口した状態での内箱となる。また、各サイドパネル１０２の両側にはサイドフラッパ１０５が設けてあり、組み上げられたときに側面の一部を形成する。
更に、トップパネル１０１の上下両側には、折り曲げ線を介してリッドパネル１０６、更に差込みフラッパ１０７が連なる。よって、これらを折り曲げ線にて曲げて、リッドパネル１０６を側面として、差込みフラッパ１０７を内部に差し込めば６面を備えた内箱１が組み上がる。
【００３２】
次に、図６で示す外箱用のブランク２００は、内箱を１つ嵌合できるように設計されている点に特徴があるブランクである。
この外箱用のブランク２００は、トップパネル２０１の下側には折り曲げ線を介して、順にフロントサイドパネル２０２、ボトムパネル２０３、リアサイドパネル２０４、リッドパネル２０５が連なっている。更に、リッドパネル２０５の端部には差込みフラッパ２０６が設けてある。また、トップパネル２０１の上側にはリアインナパネル２０７を有する。
これらを折り曲げ線にて曲げて、リアサイドパネル２０４を反対側のリアインナパネル２０７を内側に貼付けて、組み上げる。これにより、左右に開口した状態での外箱となる。また、各サイドインパネル２０２、２０４の両側にはサイドフラッパ２０８が設けてあり、組み上げられたときには側面の一部を形成する。
【００３３】
トップパネル２０１の中央部には、上記内箱を収納するための内箱嵌合部とする領域が、内箱嵌合予定領域ＰＡとして設定され、この内箱嵌合予定領域ＰＡでは環状の開口端縁２０１Ｃｒ、この開口端縁からトップパネル２０１の一部を折り曲げて形成する周壁用の周壁予定部２０１ａ、さらに内箱を取り出すための窪み部用の予定部２０１ｂが開口端縁の一部に掛かるように切込みを設けてある。これらの予定部は折り曲げ線（点線）および切断線（太線）を組合せて形成してある。
【００３４】
そして、トップパネル２０１の左右両側には、折り曲げ線を介してアウタサイドフラップ２０９が連なり、更に、このアウタサイドフラップ２０９の端部には差込みフラッパ２１０が設けてある。
更には、ボトムパネル２０３には、上記トップパネル２０１に応じて、左右両側には折り曲げ線を介してインナサイドフラップ２１１が設けてあり、このインナサイドフラップ２１１の基部中央には、差込みフラッパ２１０を受ける切り溝２１２が設けてある。
なお、トップパネル２０１とサイドインパネル２０２との境界中央の切り込み２１３は、差込みフラップ２０６を受ける切り溝である。
そして、上記ブランク２００を各折り込み線で曲げ、差込みフラッパを対応する切り溝に押しみ、更に、内箱嵌合予定領域ＰＡについても各折り込み線で曲げると内箱嵌合部を備えた外箱１０が得られる。
【００３５】
上記の説明から明らかであるが、図５、図６に示した内箱用ブランク１００と外箱用ブランク２００とはセットで使用されて本願発明に係る化粧箱を作製できる。
特に、外箱用ブランク２００については、トップパネルの中央部に内箱１つが嵌合される内箱嵌合部用の内箱嵌合予定領域ＰＡが設けてある。この内箱嵌合予定領域ＰＡは、環状の開口端縁と、この開口端縁からトップパネルの一部を折り曲げて形成される周壁を形成するための周壁予定部、更に前記開口端縁の一部に掛かるように切込みを設けて前記内箱を取り出すための窪み部を形成するための窪み予定部が設けてあるものである。
【００３６】
本発明に係る化粧箱を構成する内箱と外箱の構造については、以上で詳細について説明した。ところで、内箱１には、主物品と該主物品と密接な関係にある副物品とが収納されるが、窓などの切り抜き部分を設けないと中の物品は確認できない。しかし、図１、図２で示すように主物品と副物品（例えば、喫煙物品と専用のケース）とを、内箱１の表面に描いた図画などにより示せば収納した物品を視認可能とすることができる。
【００３７】
以上で説明した本発明に係る化粧箱ＦＣは、そのまま製品となるような物品でも、これを複数、内箱に収納し、更にこの内箱を外箱内に収納している。これにより物品を２重の箱の構造で収納した状態になるので、本発明に係る化粧箱によると物品を確実に保護できる。そして、このように箱が２重となる構造ではあるが、単純な形状の内箱および外箱を採用し、外箱の上面に１箇所だけ設けた内箱嵌合部に内箱１をちょうど嵌合させるという構造であるから、従来の化粧箱で複数の商品それぞれに凹部を設ける場合と比較して、構造が単純で組立等を容易に行えるので製造コストも抑制できる。
また、収納された内箱の表面と、これを収納した外箱の上面とが全体的に平坦な面となっているので美観に優れて、前述のように収納物品の表示などに用いることができる他、この平坦な面に１つのテーマあるいはデザインの図画等を付して美観を高めることもできる。
そして、嵌合状態にある内箱を取り出すための窪み部が設けてあるので、外箱から内箱を簡単に取り出すことができる。更には、内箱および外箱用の素材として厚紙等で形成すれば、そのまま廃棄処理できるので環境保護の点でも優れた化粧箱となる。
【００３８】
なお、本発明は前述した実施形態に限定されるものではない。
例えば、喫煙物品は、紙巻たばこ（シガレット）の他、パイプ用の刻みたばこ、口腔用のたばこ（いわゆる、オーラルたばこ）、更に近年において提供されている煙を出さない無煙たばこ等を含む広い概念である。そして、副物品はこれらの喫煙物品と密接な関係にある、例えば、たばこ専用ケース、灰皿、ライタ、パイプ、フィルタなどから選択される物品とすることができる。これらの物品の内では、ソフトパックのシガレットのように、製品（物品）が外力を受けると変形したしまうものがある。しかし、本発明の化粧箱では、このようなソフトパックのシガレットと灰皿などを内箱に収納する形態となるので、確実な保護を実現できる。
【００３９】
本化粧箱で収納する物品として、喫煙物品が好適である点について、次のことが言える。
まず、喫煙物品は家電製品・電子機器（携帯型音楽プレーヤー・携帯電話など）・缶飲料・瓶飲料・書籍等と比較して軽量である。そのため喫煙物品を納める内箱については、内箱内で喫煙物品を位置規制するための構造は簡略であっても実用上十分であり、組立コスト削減の観点からも、却ってそうした厚紙や薄い樹脂材などの部材にて製造できるものが望ましい。
また、喫煙物品は家電製品・電子機器（携帯型音楽プレーヤー・携帯電話など）・缶飲料・瓶飲料・書籍等と比較して脆弱である。そのため喫煙物品を納める内箱については、外力から喫煙物品を保護するための構造を有することが望ましい。その一方で、外力から喫煙物品を保護するための構造は、部材費用を低減するために内箱の側壁や底面と同じ一枚のシート状ブランクを折り曲げて形成可能な形態が望ましく、かつ、相対的に薄い、または、強度が必要以上に高くない材料とするのがよい。本発明の化粧箱では、収納する対象物品を喫煙物品とする場合には、段ボール紙や厚手のボール紙ではなく、薄手のボール紙などを用いて実用上十分に保護することができる。
【００４０】
また、シガレットなどの喫煙物品は家電製品・電子機器（携帯型音楽プレーヤー・携帯電話など）・缶飲料・瓶飲料と比較すると相対的に脆弱であるが、軽量であるため衝撃に対しては強いと言える。また、喫煙物品に関連した副物品についても専用ケース、灰皿などであり喫煙物品と同様である。
よって、従来技術にあるような主物品と副物品それぞれの収容部を設ける形式ではなく、喫煙物品と副物品を１つの収容部（内箱）に収めたとしても、輸送中に喫煙物品と副物品が衝突して破損する可能性は低い。そこで、喫煙物品と副物品とを１つの内箱内に納める形態を採用することで、ひいては、工数および組立コストを削減できることになる。
本発明に係る化粧箱は、外箱に設けた周壁による簡略な位置規制構造、内箱採用による保護、内箱の側壁と周壁という二重の部材により外力から保護する構造、更には内箱と周壁が共に外力に抗する構造を備えている。このような構造が協働して、内箱に収納した喫煙物品と副物品を保護でき、その一方で、組立および部材コストを削減している。よって，本発明に係る化粧箱は、喫煙物品ならびに副物品を収納するのに好適で、物品の保護とコスト削減するという両課題をともに解決した誠に望ましい化粧箱と言えるものとなる。
【００４１】
ただし、本発明の化粧箱は、喫煙物品以外の主物品と該主物品と密接な関係にある副物品とを収納してもよいことは言うまでもない。
また、前述した例では、製造コストの面から好適例として外箱および内箱を同じ直方体とした場合を説明したが、これに限らない。内箱と外箱とを同じ形状にする必要はない。例えば、外箱を円柱形状や六角、八角等の多角注形状として、内部に直方体形状の内箱を収納するようにしてもよい。
【符号の説明】
【００４２】
１                        内箱
１０                      外箱
１１Ｗａ                  周壁
１１ａ                    外形端縁
１１Ｃｒ                  開口端縁
１１Ｔｐ                  舌片部
１１                      上面
１２                      底面
１３                      側面
１６                      蓋部
２０                      窪み部
１００                    内箱用のブランク
２００                    外箱用のブランク
ＳＥ                      内箱嵌合部
ＳＰ                      凹状空間
ＦＣ                      化粧箱
【図１】
0005543952.tif 000002
【図２】
0005543952.tif 000003
【図３】
0005543952.tif 000004
【図４】
0005543952.tif 000005
【図５】
0005543952.tif 000006
【図６】
0005543952.tif 000007